(57)【要約】【課題】  ＲＦＩＤチップに書き込む情報と、ＲＦＩＤタグに印刷する人間が視覚認識可能な画像情報とに不整合が起きないように、ＲＦＩＤタグ用情報の書き込みができる。【解決手段】  送付物品のデータベース１から、印刷イメージ生成サブシステム２が届け先情報、依頼主情報、物流情報、物品情報を読み出してその情報から人間が視覚認識可能な画像情報及び光学的読み取り手段で読み取り可能なコードの画像情報を生成し、その画像情報がプリンタ３によってＲＦＩＤタグに転写される。そして、光学的コード読み取り装置４で前記ＲＦＩＤタグに転写されたコード情報が読みとられ、ＲＦＩＤ書き込みデータ生成サブシステム５で前記コード情報からＲＦＩＤチップ２５に書き込むデータが生成され、このデータがＲＦＩＤ書き込み装置６によってＲＦＩＤチップ２５に書き込まれる。【選択図】  図１
2005153465.tif 000002
【特許請求の範囲】
【請求項１】
ＲＦＩＤチップを載持した記録媒体表面に、人間が視覚認識可能な画像情報及びコードを印刷するプリンタと、前記コードを読み取る光学式読み取り手段と、前記光学的読み取り手段で読み取られたコード情報に基づき電子情報を前記ＲＦＩＤチップに書き込むＲＦＩＤライタとを少なくとも備えたことを特徴とするプリントシステム。
【請求項２】
前記コードがバーコードを含むものであり、且つ前記読み取り手段がバーコード読み取り機能を有するものであることを特徴とする請求項１に記載のプリントシステム。
【請求項３】
前記ＲＦＩＤライタを複数個備え、該複数のＲＦＩＤライタによって同一のＲＦＩＤチップに書き込みを行う、または、該複数のＲＦＩＤライタによって複数のＲＦＩＤチップに略同時に書き込みを行うことを特徴とする請求項１又は２に記載のプリントシステム。
【請求項４】
記録媒体に載持されたＲＦＩＤチップに書き込まれた情報を読み出すＲＦＩＤリーダと、該ＲＦＩＤリーダで読み出された情報に基づき、前記記録媒体に人間が視覚認識可能な画像情報及び／又は光学式読み取り手段で読み取り可能なコードを印刷するプリンタを備えたことを特徴とするプリントシステム。
【請求項５】
前記コードがバーコードを含むものである事を特徴とする、請求項４に記載のプリントシステム。
【請求項６】
定着手段と記録媒体を搬送する搬送手段とを少なくとも有し、ＲＦＩＤチップを載持した記録媒体に印刷可能なプリンタであって、前記ＲＦＩＤチップを載持した記録媒体に非接触な非接触定着手段と、前記ＲＦＩＤチップを載持した記録媒体を略直線状に搬送する搬送手段と、前記ＲＦＩＤチップを載持した記録媒体を冷却する冷却手段と、前記ＲＦＩＤチップを載持した記録媒体を搬送する搬送手段を冷却する冷却手段の内の少なくともいずれか一つを有することを特徴とするプリンタ。
【請求項７】
前記プリンタが電子写真方式によるものであることを特徴とする請求項６に記載のプリンタ。
【請求項８】
前記非接触定着手段がフラッシュ定着方式によるものであることを特徴とする、請求項６又は７に記載のプリンタ。
【請求項９】
請求項６乃至８のいずれかに記載のプリンタを有する請求項１乃至５のいずれかに記載のプリントシステム。
【請求項１０】
人間が視覚認識可能な画像情報と、概情報と関連づけられ非接触で読み取り可能なコードとが印刷されてなり、さらに前記画像情報及び／又は前記コードに関連づけられた電子情報の書き込み、保持、読み出しの少なくともいずれかひとつが可能であるＲＦＩＤチップが載持されたことを特徴とするＲＦＩＤタグ。
【請求項１１】
ＲＦＩＤチップを載持した表面に段差部を有するＲＦＩＤタグであって、前記段差部を避けて略平坦な部分に、人間が視覚認識可能な画像情報及び／又は光学式読み取り手段で読み取り可能なコードが印刷されたことを特徴とするＲＦＩＤタグ。
【発明の詳細な説明】
【技術分野】
【０００１】
本発明は非接触で読み取り、書き込みが可能なＩＣチップが載持されたＲＦＩＤ（Radio Frequency Identification）タグと称する記録媒体への情報書き込みにかかるもので、特に載持されたＩＣチップに情報の書き込みと、ＲＦＩＤタグに人間が視覚認識可能な画像情報の印刷を行うプリントシステムに関するものである。
【０００２】
本明細書では非接触で読み取り、書き込みが可能なＩＣチップをＲＦＩＤチップ、そのＲＦＩＤチップがマウントされたＩＣカードやＩＣタグ等の記録媒体をＲＦＩＤタグと称する。また、本明細書でいう画像情報には文字、記号による情報も含む。
【背景技術】
【０００３】
従来の磁気カードや接触型ＩＣカードに代わり、非接触で読み取り、書き込みが可能なＩＣチップを用いたＲＦＩＤタグが開発されている。これらは情報の読み取り、書き込み時に、ＲＦＩＤタグと読み取り、書き込み装置とを接触させる必要がなく、特に物流管理において、バーコードの代替となることが期待されている。
【０００４】
しかしながら、ＲＦＩＤチップが保持している情報を読み出すためには専用の装置が必要であるため、専用の装置を使うことができない場所で情報を必要とする場合や、ＲＦＩＤチップの故障等で情報の読み出しが不可能な場合などに備えて、ＲＦＩＤタグに人間が視覚認識可能な画像情報を印刷することが試みられている。（例えば、特許文献１参照）。
【０００５】
従来物流管理に用いられているバーコードも読み取りには専用の装置が必要なので、同様に人間が視覚認識可能な画像情報を印刷することが行われている。バーコードは一般にレーザープリンタ等を使って印刷するので、バーコード印刷と同時に人間が視覚認識可能な画像情報を印刷することは容易である。従ってバーコードの示す情報と、人間が視覚認識可能な画像情報の整合性を保証するのは比較的簡単であるのに対し、ＲＦＩＤタグの場合はＲＦＩＤチップへの情報書き込み装置と、人間が視覚認識可能な画像情報の印刷装置は別のものになるためＲＦＩＤチップの保持する情報と、ＲＦＩＤタグに印刷された人間が視覚認識可能な画像情報の整合性を保証することが難しく、しばしば不整合を起こすという問題がある。
【０００６】
また、従来人間が視覚認識可能な画像情報を印刷するのに用いられることの多いレーザープリンタ等ではトナーを記録媒体に定着させるための装置として、高温のローラを記録媒体に接触させる方法が主流であり、その高温のローラによってＲＦＩＤチップが破壊されるという問題があった。
【０００７】
また、従来のプリンタ等ではプリンタ装置内で記録媒体を屈曲させることが多く、その屈曲によってＲＦＩＤチップが破壊されるという問題があった。
【０００８】
【特許文献１】特開平１１−３５３４３５号公報
【発明の開示】
【発明が解決しようとする課題】
【０００９】
本発明は、上述の問題点に鑑みてなされたもので、その第１の目的は、ＲＦＩＤチップに書き込む情報と、ＲＦＩＤタグに印刷する人間が視覚認識可能な画像情報とに不整合が起きないようにＲＦＩＤタグ用情報の書き込みができるプリンタシステム及びプリンタを提供することである。
【００１０】
また、本発明の第２の目的は、ＲＦＩＤタグに人間が視覚認識可能な画像情報を印刷する際にＲＦＩＤチップが破壊されることのないようにＲＦＩＤタグ用情報の書き込みができるプリンタシステム及びプリンタを提供することである。
【００１１】
また、本発明の第３の目的は、上述のＲＦＩＤタグ用情報書き込みに使用するのに好適なＲＦＩＤタグを提供することである。
【課題を解決するための手段】
【００１２】
上記目的を達成するため本発明のプリントシステムにおいては、ＲＦＩＤチップを載持した記録媒体表面に、人間が視覚認識可能な画像情報及び光学式読み取り手段で読み取り可能なコードを印刷するプリンタと、前記コードを読み取る光学式読み取り手段と、前記光学的読み取り手段で読み取られたコード情報に基づき電子情報を前記ＲＦＩＤチップに書き込むＲＦＩＤライタとを少なくとも備えたことを特徴としている。そして、前記コードにはバーコードも含まれ、且つ、前記読み取り手段はバーコード読み取り機能を有している。
【００１３】
また、前記ＲＦＩＤライタを複数個備え、該複数のＲＦＩＤライタによって同一のＲＦＩＤチップに書き込みを行う、または、該複数のＲＦＩＤライタでもって複数のＲＦＩＤチップに略同時に書き込みを行うことができる。
【００１４】
本発明のプリントシステムにおいては、記録媒体に載持されたＲＦＩＤチップに書き込まれた情報を読み出すＲＦＩＤリーダと、該ＲＦＩＤリーダで読み出された情報に基づき、前記記録媒体に、人間が視覚認識可能な画像情報及び／又は光学式読み取り手段で読み取り可能なコードを印刷するプリンタとを有することも可能であり、この場合も前記コードにはバーコードも含まれる。
【００１５】
本発明のプリンタにおいては、定着手段と記録媒体を搬送する搬送手段とを少なくとも有し、ＲＦＩＤチップを載持した記録媒体に印刷可能なプリンタであって、前記ＲＦＩＤチップを載持した記録媒体に非接触な非接触定着手段と、前記ＲＦＩＤチップを載持した記録媒体を略直線状に搬送する搬送手段と、前記ＲＦＩＤチップを載持した記録媒体を冷却する冷却手段と、前記ＲＦＩＤチップを載持した記録媒体を搬送する搬送手段を冷却する冷却手段の内の少なくともいずれか一つを有した電子写真方式によるものであり、前記非接触定着手段はフラッシュ定着方式によるものである。
【００１６】
また、本発明のプリントシステムにおいては、前記の本発明のプリンタを有することも特徴としている。
【００１７】
本発明のＲＦＩＤタグにおいては、人間が視覚認識可能な画像情報と、概情報と関連づけられ非接触で読み取り可能なコードとが印刷されてなり、さらに前記画像情報及び／又は前記コードに関連づけられた電子情報の書き込み、保持、読み出しの少なくともいずれかひとつが可能であるＲＦＩＤチップが載持されたことを特徴としており、ＲＦＩＤチップを載持した表面に段差部があってもその段差部を避けて略平坦な部分に、人間が視覚認識可能な画像情報及び／又は光学式読み取り手段で読み取り可能なコードが印刷可能である。
【発明の効果】
【００１８】
このように本発明によれば、ＲＦＩＤタグに印刷される人間が視覚認識可能な画像情報と、ＲＦＩＤチップに書き込まれる情報とに不整合が起こることなくＲＦＩＤタグを作成することができる。また、ＲＦＩＤタグに載持されたＲＦＩＤチップが破壊されることもない。
【発明を実施するための最良の形態】
【００１９】
以下、本発明をデパートや通信販売会社等において、大量の商品発送を行う際に使用する宅配便配送票作成等に適用した場合の実施形態を図面を参照して詳しく説明する。
【００２０】
図１はプリントシステムの実施形態を示すブロック図であり、図２はプリンタとして電子写真方式のプリンタを採用した場合のプリントシステムの実施形態を示す概略構成図である。図３には本実施形態に用いるＲＦＩＤタグ１１の一例が示され、図４にはプリントシステムに使用されるデータベース１の一例が示される。ＲＦＩＤタグ１１には記録媒体２４のＲＦＩＤチップ載持部分２１にＲＦＩＤチップ２５が載持されている。
【００２１】
データベース１には、送付する物品に関連するデータが保持されており、その一例が図４に示されたものである。まず印刷イメージ生成サブシステム２は、データベース１から処理対象のデータレコードの届け先情報、依頼主情報、物流情報、物品情報を読み出す。ここで言う物流情報とは、例えば出荷ポイントを特定するための出荷店コードや、着荷ポイントを特定するための着荷店コードや、顧客が物品の配送状況をトレースする際に使用する問い合わせ番号などである。また、物品情報とは、物品の重量や大きさ、われものであるかどうかといったような情報である。
【００２２】
印刷イメージ生成サブシステム２はデータベース１から読み出した情報から、人間が視覚認識可能な画像情報を生成する。また同時に処理対象のデータレコードのデータＩＤから、光学的読み取り手段で読み取り可能なコードの画像情報を生成する。そして、これらの画像情報は、図２に示されるように、プリンタ３によってＲＦＩＤタグ１１に転写される。つまり、プリンタ３における潜像形成手段７で、潜像保持手段８に潜像として形成され、現像手段９で現像され、転写手段１０でＲＦＩＤタグ１１に転写されるのである。
【００２３】
転写後ＲＦＩＤタグ１１上に形成された画像情報の例が図３に示される。図３において、１７は届け先情報から生成された画像情報、１８は依頼主情報から生成された画像情報、１９は物流情報から生成された画像情報である。ところで、必ずしもデータベース１に保持されている情報をすべて読み出して画像情報にする必要はなく、例えば、本実施例では物品情報は画像情報にされていない。なお、２０は光学的読み取り手段で読み取り可能なコードの画像情報であり、本実施例ではバーコードの形式で表されているが、２次元バーコードでも、光学文字認識（Optical Character Recognition、ＯＣＲ）可能な文字でも良い。
【００２４】
図２に示されるように、画像情報が転写されたＲＦＩＤタグ１１はプリントシステム内を順次搬送されて行くが、その際、プリンタ３部において大きく屈曲させると載持されているＲＦＩＤチップ２５が破損されることがある。そのため、本実施例のプリンタ３では
ＲＦＩＤタグ１１が搬送手段１２によって屈曲やカーブしないように略直線状に搬送されて行くようになっている。
【００２５】
ＲＦＩＤタグ１１が搬送されて行き、プリンタ３の非接触定着手段１３部でＲＦＩＤタグ１１上に形成された前述の画像情報が定着される。この非接触定着手段１３はフラッシュ定着方式によるものであり、ＲＦＩＤタグ１１が定着部の高温ロールに接触することがないので、ＲＦＩＤタグ１１に載持されたＲＦＩＤチップ２５が破壊されることがない。
【００２６】
また、本実施例においては図２に示されるように、プリンタ３に搬送手段１２を冷却する冷却手段１４ａ及びＲＦＩＤタグ１１を直接冷却する冷却手段１４ｂを設けて、搬送手段１２とＲＦＩＤタグ１１をＲＦＩＤチップ２５の耐熱温度以下に維持するようにしている。これらの冷却手段１４ａ、１４ｂはいずれもファン等を用いて空冷式としたり、あるいは、冷媒などを用いて水冷式としたりすることができる。
【００２７】
この冷却手段１４ａ、１４ｂを設ける理由は、フラッシュ定着方式によればＲＦＩＤタグ１１自体の温度は上がりにくいが、フラッシュランプの照射するエネルギーによって搬送手段１２の温度がＲＦＩＤチップ２５の耐熱温度を越えることがあり、それに伴ってＲＦＩＤタグ１１の温度もＲＦＩＤチップ２５の耐熱温度を越え、ＲＦＩＤチップ２５が破壊されることがあるため、搬送手段１２とＲＦＩＤタグ１１の温度をＲＦＩＤチップ２５の耐熱温度以下に抑える手段が必要となる場合があるからである。
【００２８】
なお、本発明のプリンタ３において、前述のＲＦＩＤタグ１１を略直線状に搬送する搬送手段１２と非接触定着手段１３と冷却手段１４ａ、１４ｂの内のいずれか一つを備えたものとすることは可能である。
【００２９】
次に、図２に示されるように、ＲＦＩＤタグ１１は光学的読み取り手段であるバーコードリーダー１５まで搬送される。このバーコードリーダー１５は図１の光学的コード読み取り装置４で表される。図１において、光学的コード読み取り装置４で読み取られたコード情報は、ＲＦＩＤ書き込みデータ生成サブシステム５に送られる。ＲＦＩＤ書き込みデータ生成サブシステム５は、コード情報を使ってデータベース１から該当するデータレコードの届け先情報、依頼主情報、物流情報、物品情報を読み出し、ＲＦＩＤチップ２５に書き込むべきデータを生成する。このデータはＲＦＩＤ書き込み装置６に送られ、ＲＦＩＤチップ２５へ書き込まれる。このＲＦＩＤ書き込み装置６は、図２の符号１６で示されているＲＦＩＤライタである。なお、ＲＦＩＤ書き込みデータ生成サブシステム５はＲＦＩＤ書き込み装置６（ＲＦＩＤライタ１６）に組み込むことができる。
【００３０】
このように、ＲＦＩＤタグ１１に印刷されたコード情報をキーとして、ＲＦＩＤチップ２５への情報の書き込みを行うことで、ＲＦＩＤチップ２５の保持する情報と、ＲＦＩＤタグ１１に印刷された人間が視覚認識可能な画像情報の整合性が保証され、図２に示されるようにバーコードリーダー１５とＲＦＩＤライタ１６を可能な限り隣接させて設置することで、整合性の保証をより高めることができる。
【００３１】
ところで、ＲＦＩＤチップ２５へコード情報を確実に書き込むためには、一定時間ＲＦＩＤチップ２５をＲＦＩＤライタ１６の書き込み有効範囲内に留める必要があるが、印字速度が高速度なプリンタを使用した場合には、ＲＦＩＤチップ２５がＲＦＩＤライタ１６の書き込み有効範囲内を書き込み処理に必要な時間より短い時間で通過してＲＦＩＤチップ２５への情報の書き込みが終了できないことがある。
【００３２】
ＲＦＩＤチップ２５の記憶領域は複数のページに分かれているものがあり、書き込むページ数を少なくすれば、書き込みに必要な時間が短くなるので、印字速度が高速度なプリンタを使用する場合、図５に示されるようにＲＦＩＤタグ１１の搬送方向に複数のＲＦＩＤライタを配置し、例えば、第１のＲＦＩＤライタ１６ａはＲＦＩＤチップ２５の第１ページにのみ書き込みを行い、第２のＲＦＩＤライタ１６ｂは第２ページにのみ書き込みを行うようになっている。
【００３３】
このことにより、印字速度が高速度なプリンタを使用した場合でも、各ＲＦＩＤライタ１６ａ、１６ｂはその書き込み有効範囲内からＲＦＩＤチップ２５が通過するまでに書き込み処理を終了することができる。さらに高速度なプリンタを使用する場合には、ＲＦＩＤライタ１６の数をさらに増やせばよい。
【００３４】
また、ＲＦＩＤチップ２５相互の載持間隔が短い場合など、書き込み有効範囲内に複数のＲＦＩＤチップ２５が存在し、これら複数のＲＦＩＤチップ２５に同じ情報が書き込まれてしまうことがある。これを回避するために、ＲＦＩＤライタ１６書き込み有効範囲内には常に単独のＲＦＩＤチップ２５のみが存在するように、ＲＦＩＤライタ１６の有効書き込み範囲やＲＦＩＤチップ２５相互の載持間隔を設定する必要がある。
【００３５】
図６には、記録媒体２４にＲＦＩＤチップ２５が載持された本実施例で使用されるＲＦＩＤタグ１１が示される。図７は図６におけるＲＦＩＤチップ２５載持部の断面図である。
【００３６】
ＲＦＩＤチップ２５を載持した記録媒体２４の厚みに対して、ＲＦＩＤチップ２５の厚みが無視できない場合には図７に示されるように段差が生じる。このような段差がある記録媒体２４にプリンタで印字する場合、段差付近には正常に印字できないことがある。図６の斜線部で示されたＲＦＩＤチップ２５の輪郭部２７が印字に異常が生じる部分である。本実施形態ではこの部分を避けて略平坦な部分に、人間が視覚認識可能な画像情報、光学式読み取り手段で読み取り可能なコードが印刷されている。
【００３７】
また、図６に示されるようにＲＦＩＤチップ２５はＲＦＩＤライタ１６等との通信用のアンテナ２６を有しており、ＲＦＩＤタグへの画像情報やバーコード等の印刷（又は印字）が、カーボン等の導電性物質を有するトナー、インク等でなされる場合、このアンテナ２６にこれらの印刷が重なるとＲＦＩＤライタ１６等との通信に障害が生じることがある。あるいは、トナー、インク等がマグネタイト等の磁性体を含有する場合には、該磁性体の磁気の影響で前記と同様な通信障害が発生することがある。このような場合、アンテナ２６またはその近傍を避けて印刷を行えばＲＦＩＤライタ１６との通信に障害が生じることが無く好適である。
【００３８】
図８は本発明であるプリントシステムの別の実施形態を示すブロック図であり、図９はこの実施形態の場合において、プリンタとして電子写真方式のプリンタを採用した場合のプリントシステムの実施形態を示す概略構成図である。なお、図８、９においては図１から図７に示されている部位と同一のものには同一の符号が付されている。
【００３９】
この実施形態においては、あらかじめ電子情報が書き込まれたＲＦＩＤチップ２５からこの電子情報を読み取り、この電子情報に関連した画像情報及び／又はコード情報をＲＦＩＤタグ１１に印刷するプリントシステムであり、デパートや通信販売会社等において大量の商品発送を行う際に使用する宅配便配送票作成等に適用した場合に好適である。その構成は次のとおりである。
【００４０】
図８、９において、ＲＦＩＤ読み込み装置２８によってＲＦＩＤタグ１１に載持されたＲＦＩＤチップ２５から電子情報が読み取られ、印刷イメージ生成サブシステム２が、その読み取られた電子情報とデータベース１に基づいてＲＦＩＤタグ１１に印刷される人間が視覚認識可能な画像情報を生成する。また同時に、処理対象のデータレコードのデータＩＤから、光学的読み取り手段で読み取り可能なコードの画像情報を生成する。そして、これらの画像情報はプリンタ３でＲＦＩＤタグ１１上に印刷される。なお、前記の人間が視覚認識可能な画像情報と光学的読み取り手段で読み取り可能なコードの画像情報は前述のように双方を生成、印刷してもよいし、どちらか片方のみ生成、印刷してもかまわない。
【００４１】
プリンタ３ではＲＦＩＤタグ１１等の記録媒体は通常一定の速度で搬送されており、ＲＦＩＤリーダ２９からＲＦＩＤタグ１１に画像情報が印刷される転写手段１０までの記録媒体の搬送に要する時間をあらかじめ見越して、画像情報の生成、印刷を行うことにより、ＲＦＩＤチップ２５に書き込まれている情報と、プリンタで印刷する画像情報の整合性を確保することができる。
【００４２】
また、ＲＦＩＤチップ２５にあらかじめ書き込まれている電子情報は、届け先情報、依頼主情報、物流情報、物品情報そのもの或いはそのいずれかでも構わないが、処理対象のデータレコードのデータＩＤのみとしてもよい。この場合、情報量が減りＲＦＩＤチップ２５への書き込み、読み出し時間が低減できて好適である。また、第三者によってＲＦＩＤチップ２５から届け先情報、依頼主情報などの個人情報が読み出される危険性もなくなり好適である。
【００４３】
図１０は本発明であるプリントシステムのさらに別の実施形態を示すブロック図であり、図１１は前記さらに別の実施形態の場合において、プリンタとして電子写真方式のプリンタを採用した場合のプリントシステムの概略構成図である。なお、図１０、１１においては図１から図９に示されている部位と同一のものには同一の符号が付されている。
【００４４】
この実施形態においても、あらかじめ電子情報が書き込まれたＲＦＩＤチップ２５からこの電子情報を読み取り、この電子情報に関連した画像情報及び／又はコード情報をＲＦＩＤタグ１１に印刷するプリントシステムであり、デパートや通信販売会社等において大量の商品発送を行う際に使用する宅配便配送票作成等に適用した場合に好適である。その構成はつぎのとおりである。
【００４５】
図１０、１１において、ＲＦＩＤチップ２５からあらかじめ書き込まれていた情報をＲＦＩＤ読み込み装置２８で読み出し、印刷イメージ生成サブシステム２で、人間が視覚認識可能な画像情報と光学的読み取り手段で読み取り可能なコードの画像情報双方を生成し、プリンタ３でＲＦＩＤタグ１１に印刷を行うまでは前述の別の形態（図８参照）のプリントシステムと同じである。
【００４６】
次に、この実施形態においては、光学的コード読み取り装置４でＲＦＩＤタグ１１上に印刷された光学的読み取り手段で読み取り可能なコード情報が読み取られ、続いてＲＦＩＤ読み込み装置３１でＲＦＩＤチップ２５の情報が読み出されて、その双方の情報の整合性がデータ検証サブシステム３０でデータベース１のデータに基づいて検証される。
【００４７】
このようにデータ同士の整合性を検証するデータ検証サブシステム３０を付加することで、ＲＦＩＤチップ１１の保持する情報と、人間が視覚認識可能な画像情報と、光学的読み取り手段で読み取り可能なコードの画像情報各々の整合性をより高めることができる。  なお、光学的コード読み取り装置４によるコード情報の読みとりと、ＲＦＩＤ読み込み装置３１でのＲＦＩＤチップの情報の読み出しは前述した順序とは逆でもよいし、略同時に行ってもよい。
【００４８】
ここで、図１０における光学的コード読み取り装置４は図１１におけるバーコードリーダー１５に相当し、同じくＲＦＩＤ読み込み装置３１は図１１におけるＲＦＩＤリーダ３２に相当し、同じくＲＦＩＤ読み込み装置２８は図１１におけるＲＦＩＤリーダ２９に相当する。
【図面の簡単な説明】
【００４９】
【図１】本発明によるプリントシステムの実施形態を示すブロック図である。
【図２】本発明によるプリントシステムの実施形態を示す概略構成図である。
【図３】本発明によるプリントシステムに用いるＲＦＩＤタグの説明図である。
【図４】本発明によるプリントシステムに使用されるデータベースの一例を示す図である。
【図５】本発明によるプリントシステムにおけるＲＦＩＤライターの配置の一例を示す図である。
【図６】本発明によるプリントシステムに用いるＲＦＩＤタグにＲＦＩＤチップが載持された状態を示す図である。
【図７】図３におけるＡ−Ａ断面図である。
【図８】本発明によるプリントシステムの別の実施形態を示すブロック図である。
【図９】本発明によるプリントシステムの別の実施形態を示す概略構成図である。
【図１０】本発明によるプリントシステムのさらに別の実施形態を示すブロック図である。
【図１１】本発明によるプリントシステムのさらに別の実施形態を示す概略構成図である。
【符号の説明】
【００５０】
１  データベース
２  印刷イメージ生成サブシステム
３  プリンタ
４  光学的コード読み取り装置
５  ＲＦＩＤ書き込みデータ生成サブシステム
６  ＲＦＩＤ書き込み装置
７  潜像形成手段
８  潜像保持手段
９  現像手段
１０  転写手段
１１  ＲＦＩＤタグ
１２  搬送手段
１３  非接触定着手段
１４ａ、１４ｂ  冷却手段
１５  バーコードリーダー
１６  ＲＦＩＤライタ
１６ａ  第１のＲＦＩＤライタ
１６ｂ  第２のＲＦＩＤライタ
１７  届け先情報から生成された画像情報
１８  依頼主情報から生成された画像情報
１９  物流情報から生成された画像情報
２０  バーコード
２１  ＲＦＩＤチップ載持部分
２４  記録媒体
２５  ＲＦＩＤチップ
２６  ＲＦＩＤチップに接続されたアンテナ
２７  ＲＦＩＤチップの輪郭部
２８、３１  ＲＦＩＤ読み込み装置
２９、３２  ＲＦＩＤリーダ
３０  データ検証サブシステム
【図１】
2005153465.tif 000003
【図２】
2005153465.tif 000004
【図３】
2005153465.tif 000005
【図４】
2005153465.tif 000006
【図５】
2005153465.tif 000007
【図６】
2005153465.tif 000008
【図７】
2005153465.tif 000009
【図８】
2005153465.tif 000010
【図９】
2005153465.tif 000011
【図１０】
2005153465.tif 000012
【図１１】
2005153465.tif 000013